(57)【特許請求の範囲】
【請求項１】
マルチキャスト放送単一周波数ネットワークサブフレームをユーザー送信データチャネルの物理リソースとして用いることと、
前記マルチキャスト放送単一周波数ネットワークサブフレームにおいて、物理ダウンリンク制御チャネルのシンボルを除いたその他のシンボルは、ローカルセルにおけるサブフレーム０と同じサイクリックプレフィックスを採用することと
を含むことを特徴とするマルチキャスト放送単一周波数ネットワークサブフレームの構成方法。
【請求項２】
複数のセルが協調する場合に、協調に関与するセルの各サブフレーム構造のサイクリックプレフィックスが同じであるとき、マルチキャスト放送単一周波数ネットワークタイプの前記物理リソースに対し、協調集合におけるセルが、当該サイクリックプレフィックスのフレーム構造のマルチキャスト放送単一周波数ネットワークサブフレームを採用し、
協調に関与するセルの各サブフレーム構造のサイクリックプレフィックスが異なるとき、マルチキャスト放送単一周波数ネットワークタイプの前記物理リソースに対し、協調集合内のセルが、ロングサイクリックプレフィックスのフレーム構造のマルチキャスト放送単一周波数ネットワークサブフレームを採用する
ことを特徴とする請求項１に記載の構成方法。
【請求項３】
ＦＤＤ（Frequency Division Duplexing）である場合、サブフレーム番号が０、４、５及び９以外のいずれかのマルチキャスト放送単一周波数ネットワークサブフレームを前記物理リソースとして用い、ＴＤＤ（Time Division Duplexing）である場合、サブフレーム番号が０、１、５及び６以外のいずれかのマルチキャスト放送単一周波数ネットワークサブフレームを前記物理リソースとして用い、
最大で前記物理リソースの最初の二つのシンボルを採用して、ＬＴＥ（Long Term Evolution）システムユーザー及びＬＴＥ−Ａ（Long Term Evolution - Advanced）システムユーザーの前記物理ダウンリンク制御チャネルを送信し、且つ、公共参照信号が前記物理ダウンリンク制御チャネルのみにマッピングされ、前記公共参照信号のアンテナポート数が基地局の最大アンテナポート数以下である
ことを特徴とする請求項１に記載の構成方法。
【請求項４】
前記物理リソースは、物理ダウンリンク共有チャネルを含む
ことを特徴とする請求項１に記載の構成方法。
【請求項５】
マルチキャスト放送単一周波数ネットワークサブフレームを、ユーザー送信データチャネルの物理リソースとして用いることと、
ローカルセルのサブフレーム０のサイクリックプレフィックスを、前記マルチキャスト放送単一周波数ネットワークサブフレームにおいて、物理ダウンリンク制御チャネルのシンボルを除いた他のシンボルのサイクリックプレフィックスとして用いることと
を含むことを特徴とするユーザーデータチャネルの送信方法。
【請求項６】
複数のセルが協調する場合に、協調に関与するセルの各サブフレーム構造のサイクリックプレフィックスが同じであるとき、マルチキャスト放送単一周波数ネットワークタイプの前記物理リソースに対し、協調集合におけるセルは、当該サイクリックプレフィックスのフレーム構造のマルチキャスト放送単一周波数ネットワークサブフレームを採用し、
協調に関与するセルの各サブフレーム構造のサイクリックプレフィックスが異なる場合、マルチキャスト放送単一周波数ネットワークタイプの前記物理リソースに対し、協調集合におけるセルは、ロングサイクリックプレフィックスのフレーム構造のマルチキャスト放送単一周波数ネットワークサブフレームを採用する
ことを特徴とする請求項５に記載の送信方法。
【請求項７】
ＦＤＤ（Frequency Division Duplexing）である場合、サブフレーム番号が０、４、５及び９以外のいずれかのマルチキャスト放送単一周波数ネットワークサブフレームを前記物理リソースとして用い、ＴＤＤ（Time Division Duplexing）である場合、サブフレーム番号が０、１、５及び６以外のいずれかのマルチキャスト放送単一周波数ネットワークサブフレームを前記物理リソースとして用い、
最大で前記物理リソースの最初の二つのシンボルを採用して、ＬＴＥ（Long Term Evolution）システムユーザー及びＬＴＥ−Ａ（Long Term Evolution - Advanced）システムユーザーの前記物理ダウンリンク制御チャネルを送信し、且つ、公共参照信号を前記物理ダウンリンク制御チャネルのみで送信し、前記公共参照信号のアンテナポート数は基地局の最大アンテナポート数以下である
ことを特徴とする請求項５に記載の送信方法。
【請求項８】
前記物理リソースは物理ダウンリンク共有チャネルを含む
ことを特徴とする請求項５記載の送信方法。
【請求項９】
マルチキャスト放送単一周波数ネットワークサブフレームをユーザー送信データチャネルの物理リソースとして特定する第一特定モジュールと、
ローカルセルのサブフレーム０のサイクリックプレフィックスを、前記マルチキャスト放送単一周波数ネットワークサブフレームにおいて物理ダウンリンク制御チャネルのシンボルを除いた他のシンボルのサイクリックプレフィックスとして用いる第二特定モジュールと
を含むことを特徴とするユーザー物理リソースの特定装置。
【請求項１０】
前記第二特定モジュールは、さらに、複数のセルが協調する場合に、協調に関与するセルの各サブフレーム構造のサイクリックプレフィックスが同じであるかどうかを判断し、
前記第一特定モジュールは、さらに、前記第二特定モジュールが協調に関与するセルの各サブフレーム構造のサイクリックプレフィックスが同じであると判断した場合に、マルチキャスト放送単一周波数ネットワークタイプの前記物理リソースに対し、当該サイクリックプレフィックスのフレーム構造のマルチキャスト放送単一周波数ネットワークサブフレームを協調集合における各セルに適用し、或いは、前記第二特定モジュールが協調に関与するセルの各サブフレーム構造のサイクリックプレフィックスが異なると判断した場合に、マルチキャスト放送単一周波数ネットワークタイプの前記物理リソースに対し、ロングサイクリックプレフィックスのフレーム構造のマルチキャスト放送単一周波数ネットワークサブフレームを協調集合における各セルに適用する
ことを特徴とする請求項９に記載の特定装置。
【請求項１１】
前記第一特定モジュールは、さらに、ＦＤＤ（Frequency Division Duplexing）の場合に、サブフレーム番号が０、４、５及び９以外のいずれかのマルチキャスト放送単一周波数ネットワークサブフレームを、ＴＤＤ（Time Division Duplexing）の場合に、サブフレーム番号が０、１、５及び６以外のいずれかのマルチキャスト放送単一周波数ネットワークサブフレームを、前記ユーザー送信データチャネルの物理リソースとして用い、
最大で前記物理リソースの最初の二つのシンボルをＬＴＥ（Long Term Evolution）システムユーザー及びＬＴＥ−Ａ（Long Term Evolution - Advanced）システムユーザーの前記物理ダウンリンク制御チャネルを送信することに用い、且つ、公共参照信号が前記物理ダウンリンク制御チャネルのみにマッピングされ、前記公共参照信号のアンテナポート数は基地局の最大アンテナポート数以下である
ことを特徴とする請求項９に記載の特定装置。
【請求項１２】
マルチキャスト放送単一周波数ネットワークサブフレームをユーザー送信データチャネルの物理リソースとして特定する第一特定モジュールと、
ローカルセルのサブフレーム０のサイクリックプレフィックスを、前記マルチキャスト放送単一周波数ネットワークサブフレームにおいて、物理ダウンリンク制御チャネルのシンボルを除いた他のシンボルのサイクリックプレフィックスとして用いる第二特定モジュールと
を含むことを特徴とするユーザーデータチャネルの送信装置。
【請求項１３】
前記第二特定モジュールは、さらに、複数のセルが協調するときに、協調に関与するセルの各サブフレーム構造のサイクリックプレフィックスが同じであるかどうかを判断し、
前記第一特定モジュールは、さらに、前記第二特定モジュールが協調に関与するセルの各サブフレーム構造のサイクリックプレフィックスが同じであると判断した場合に、マルチキャスト放送単一周波数ネットワークタイプの前記物理リソースに対し、当該サイクリックプレフィックスのフレーム構造のマルチキャスト放送単一周波数ネットワークサブフレームを協調集合における各セルに適用し、或いは、前記第二特定モジュールが協調に関与するセルの各サブフレーム構造のサイクリックプレフィックスが異なると判断した場合に、マルチキャスト放送単一周波数ネットワークタイプの前記物理リソースに対し、ロングサイクリックプレフィックスのフレーム構造のマルチキャスト放送単一周波数ネットワークサブフレームを協調集合における各セルに適用する
ことを特徴とする請求項１２に記載の送信装置。
【請求項１４】
前記第一特定モジュールは、さらに、ＦＤＤ（Frequency Division Duplexing）の場合に、サブフレーム番号が０、４、５及び９以外のいずれかのマルチキャスト放送単一周波数ネットワークサブフレームを、ＴＤＤ（Time Division Duplexing）の場合に、サブフレーム番号が０、１、５及び６以外のいずれかのマルチキャスト放送単一周波数ネットワークサブフレームを、前記ユーザー送信データチャネルの物理リソースとして用い、
最大で前記物理リソースの最初の二つのシンボルをＬＴＥ（Long Term Evolution）システムユーザー及びＬＴＥ−Ａ（Long Term Evolution - Advanced）システムユーザーの前記物理ダウンリンク制御チャネルを送信することに用い、且つ、前記物理ダウンリンク制御チャネルのみで公共参照信号を送信し、前記公共参照信号のアンテナポート数が基地局の最大アンテナポート数以下である
ことを特徴とする請求項１２に記載の送信装置。
【発明の詳細な説明】
【技術分野】
【０００１】
本発明は、移動通信システムに関し、特に進化型長期発展（ＬＴＥ-Ａｄｖａｎｃｅｄ：Ｌｏｎｇ-Ｔｅｒｍ  Ｅｖｏｌｕｔｉｏｎ  ａｄｖａｎｃｅｄ）システムにおけるユーザー物理リソースとしてのマルチキャスト放送単一周波数ネットワークサブフレーム、ユーザーデータチャネルの送信方法及びその送信装置に関する。
【背景技術】
【０００２】
セルのスループットを高め、セルの間の干渉協調を行うために、新世代無線通信システム、たとえば、ＬＴＥ-Ａｄｖａｎｃｅｄシステム、進化型国際移動通信（ＩＭＴ-Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎ  ａｄｖａｎｃｅｄ）システム等は、いずれもネットワークレベルの間のマルチポイント協調送受信（ＣＯＭＰ（ＣＯｏｒｄｉｎａｔｅ  ＭｕｌｔｉＰｏｉｎｔ）  Ｔｒａｎｓｍｉｓｓｉｏｎ  ａｎｄ  Ｒｅｃｅｐｔｉｏｎ）技術を導入している。
【０００３】
３ＧＰＰ ＬＴＥの５６回会議において、ＬＴＥ-Ａｄｖａｎｃｅｄの二種類の参照信号、チャネル計測参照信号（ＣＳＩ-ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）及び復調参照信号（ＤＭＲＳ：ＤｅＭｏｄｕｌａｔｉｏｎ  ｒｅｆｅｒｅｎｃｅ  ｓｉｇｎａｌ）が定義されている。前者はチャネル計測に用い、後者は復調に用いる。このため、ＬＴＥの公共参照信号は、ＬＴＥ-Ａユーザーに対して付加的な利得をもたらすものではなく、単なるコストアップの原因である。
【０００４】
ＬＴＥ-Ａ専用リソースを定義すれば、このリソースにおいて公共参照信号を送信せずに、または一部の公共参照信号を送信することで、ＬＴＥ-Ａシステムの性能を高めることができる。
【発明の概要】
【発明が解決しようとする課題】
【０００５】
本発明は、ＬＴＥ―Ａシステムの性能を高めることができる、ユーザー物理リソースとしてのマルチキャスト放送単一周波数ネットワークサブフレームを提供することを課題とする。
【課題を解決するための手段】
【０００６】
前記技術課題を解決するために、本発明はマルチキャスト放送単一周波数ネットワークサブフレームを提供する。前記マルチキャスト放送単一周波数ネットワークサブフレームをユーザー送信データチャネルの物理リソースとして用い、前記マルチキャスト放送単一周波数ネットワークサブフレームにおいて、物理ダウンリンク制御チャネルの直交周波数分割多重シンボル以外のその他の直交周波数分割多重シンボルは、ローカルセルのサブフレーム０と同じサイクリックプレフィックスを採用する。
【０００７】
好ましくは、複数のセルが協調する場合に、協調に関与するセルの各サブフレーム構造のサイクリックプレフィックスが同じであるとき、マルチキャスト放送単一周波数ネットワークタイプの前記物理リソースに対し、協調集合におけるセルは当該サイクリックプレフィックスのフレーム構造のマルチキャスト放送単一周波数ネットワークサブフレームを採用し、一方、協調に関与するセルの各サブフレーム構造のサイクリックプレフィックスが異なるとき、マルチキャスト放送単一周波数ネットワークタイプの前記物理リソースに対し、協調集合におけるセルは、ロングサイクリックプレフィックスのフレーム構造のマルチキャスト放送単一周波数ネットワークサブフレームを採用してもよい。
【０００８】
好ましくは、前記物理リソースとしてのマルチキャスト放送単一周波数ネットワークサブフレームは、ＦＤＤ（Ｆｒｅｑｕｅｎｃｙ  Ｄｉｖｉｓｉｏｎ  Ｄｕｐｌｅｘｉｎｇ：周波数分割複信）の場合に、サブフレーム番号が０、４、５及び９以外のいずれかのマルチキャスト放送単一周波数ネットワークサブフレームであり、ＴＤＤ（Ｔｉｍｅ  Ｄｉｖｉｓｉｏｎ  Ｄｕｐｌｅｘｉｎｇ：時分割複信）の場合に、サブフレーム番号が０、１、５及び６以外のいずれかのマルチキャスト放送単一周波数ネットワークサブフレームであり、
最大で前記物理リソースの最初の二つの直交周波数分割多重シンボルを採用して、ＬＴＥシステムユーザー及びＬＴＥ−Ａシステムユーザーの前記物理ダウンリンク制御チャネルを送信し、且つ、公共参照信号が、前記物理ダウンリンク制御チャネルのみにマッピングされ、前記公共参照信号のアンテナポート数が基地局の最大アンテナポート数以下であってもよい。
【０００９】
好ましくは、前記物理リソースは、物理ダウンリンク共有チャネルを含んでいてもよい。
【００１０】
本発明は、ＬＴＥ−Ａシステムの性能を高めるユーザーデータチャネルの送信方法を提供することをもう一つの課題とする。
【００１１】
上述課題を解決するために、本発明は、ユーザーデータチャネルの送信方法を提供する。
この方法は、
マルチキャスト放送単一周波数ネットワークサブフレームをユーザー送信データチャネルの物理リソースとして用いることと、
ローカルセルのサブフレーム０のサイクリックプレフィックスを、前記マルチキャスト放送単一周波数ネットワークサブフレームにおいて、物理ダウンリンク制御チャネルのシンボルを除いたほかの直交周波数分割多重シンボルのサイクリックプレフィックスとして用いることとを含む。
【００１２】
好ましくは、複数のセルが協調する場合に、協調に関与するセルの各サブフレーム構造のサイクリックプレフィックスが同じであるとき、マルチキャスト放送単一周波数ネットワークタイプの前記物理リソースに対し、協調集合におけるセルが当該サイクリックプレフィックスのフレーム構造のマルチキャスト放送単一周波数ネットワークサブフレームを採用し、一方、協調に関与するセルの各サブフレーム構造のサイクリックプレフィックスが異なるとき、マルチキャスト放送単一周波数ネットワークタイプの前記物理リソースに対し、協調集合におけるセルがロングサイクリックプレフィックスのフレーム構造のマルチキャスト放送単一周波数ネットワークサブフレームを採用してもよい。
【００１３】
好ましくは、ＦＤＤの場合に、サブフレーム番号が０、４、５及び９以外のいずれかのマルチキャスト放送単一周波数ネットワークサブフレームを前記物理リソースとして用い、ＴＤＤの場合に、サブフレーム番号が０、１、５及び６以外のいずれかのマルチキャスト放送単一周波数ネットワークサブフレームを前記物理リソースとして用い、
最大で前記物理リソースの最初の二つの直交周波数分割多重シンボルを採用して、ＬＴＥシステムユーザー及びＬＴＥ−Ａシステムユーザーの前記物理ダウンリンク制御チャネルを送信し、且つ、前記物理ダウンリンク制御チャネルのみで公共参照信号を送信し、前記公共参照信号のアンテナポート数が基地局の最大アンテナポート数より少なくてもよい。
【００１４】
好ましくは、前記物理リソースは、物理ダウンリンク共有チャネルを含む。
【００１５】
本発明は、ＬＴＥ−Ａシステムの性能を高めるユーザー物理リソースの特定装置を提供することをもう一つの課題とする。
【００１６】
上述課題を解決するために、本発明は、第一特定モジュールと第二特定モジュールとを含むユーザー物理リソースの特定装置を提供する。
前記第一特定モジュールは、マルチキャスト放送単一周波数ネットワークサブフレームをユーザー送信データチャネルの物理リソースとして特定する。
前記第二特定モジュールは、ローカルセルのサブフレーム０のサイクリックプレフィックスを、前記マルチキャスト放送単一周波数ネットワークサブフレームにおいて、物理ダウンリンク制御チャネルの直交周波数分割多重シンボル以外のほかの直交周波数分割多重シンボルのサイクリックプレフィックスとして用いる。
【００１７】
好ましくは、前記第二特定モジュールは、さらに、複数のセルが協調する場合に、協調に関与するセルの各サブフレーム構造のサイクリックプレフィックスが同じであるかどうかを判断し、
前記第一特定モジュールは、さらに、前記第二特定モジュールが協調に関与するセルの各サブフレーム構造のサイクリックプレフィックスが同じであると判断した場合に、マルチキャスト放送単一周波数ネットワークタイプの前記物理リソースに対し、当該サイクリックプレフィックスのフレーム構造のマルチキャスト放送単一周波数ネットワークサブフレームを協調集合における各セルに適用し、或いは、前記第二特定モジュールが協調に関与するセルの各サブフレーム構造のサイクリックプレフィックスが異なると判断した場合に、マルチキャスト放送単一周波数ネットワークタイプの前記物理リソースに対して、ロングサイクリックのプレフィックスフレーム構造のマルチキャスト放送単一周波数ネットワークサブフレームを協調集合における各セルに適用してもよい。
【００１８】
好ましくは、前記第一特定モジュールは、さらに、ＦＤＤの場合に、サブフレーム番号が０、４、５及び９以外のいずれかのマルチキャスト放送単一周波数ネットワークサブフレームを、ＴＤＤの場合に、サブフレーム番号が０、１、５及び６以外のいずれかのマルチキャスト放送単一周波数ネットワークサブフレームを、前記ユーザー送信データチャネルの物理リソースとして用い、
最大で前記物理リソースの最初の二つの直交周波数分割多重シンボルが、ＬＴＥ
システムユーザー及びＬＴＥ−Ａシステムユーザーの前記物理ダウンリンク制御チャネルを送信することに用いられ、且つ、公共参照信号が前記物理ダウンリンク制御チャネルのみにマッピングされ、前記公共参照信号のアンテナポート数は基地局の最大アンテナポート数以下であってもよい。
【００１９】
本発明は、ＬＴＥ−Ａシステムの性能を高めるユーザー物理リソースの送信装置を提供することをもう一つの解決しようとする課題とする。
【００２０】
上述課題を解決するために、本発明は、第一特定モジュール及び第二特定モジュールを含むユーザー物理リソースの送信装置を提供する。
前記第一特定モジュールは、マルチキャスト放送単一周波数ネットワークサブフレームをユーザー送信データチャネルの物理リソースとして特定する。
前記第二特定モジュールは、ローカルセルのサブフレーム０のサイクリックプレフィックスを、前記マルチキャスト放送単一周波数ネットワークサブフレームにおいて、物理ダウンリンク制御チャネルの直交周波数分割多重シンボル以外のほかの直交周波数分割多重シンボルのサイクリックプレフィックスとして用いる。
【００２１】
好ましくは、前記第二特定モジュールは、さらに複数のセルが協調するときに、協調に関与するセルの各サブフレーム構造のサイクリックプレフィックスが同じであるかどうかを判断し、
前記第一特定モジュールは、さらに前記第二特定モジュールが協調に関与するセルの各サブフレーム構造のサイクリックプレフィックスが同じであると判断した場合に、マルチキャスト放送単一周波数ネットワークタイプの前記物理リソースに対し、当該サイクリックプレフィックスのフレーム構造のマルチキャスト放送単一周波数ネットワークサブフレームを協調集合における各セルに適用し、或いは、前記第二特定モジュールが協調に関与するセルの各サブフレーム構造のサイクリックプレフィックスが異なると判断した場合に、マルチキャスト放送単一周波数ネットワークタイプの前記物理リソースに対し、ロングサイクリックプレフィックスのフレーム構造のマルチキャスト放送単一周波数ネットワークサブフレームを協調集合における各セルに適用してもよい。
【００２２】
好ましくは、前記第一特定モジュールは、さらに、ＦＤＤの場合に、サブフレーム番号が０、４、５及び９以外のいずれかのマルチキャスト放送単一周波数ネットワークサブフレームを、ＴＤＤの場合に、サブフレーム番号が０、１、５及び６以外のいずれかのマルチキャスト放送単一周波数ネットワークサブフレームを、前記ユーザー送信データチャネルの物理リソースとして用い、
最大で前記物理リソースの最初の二つの直交周波数分割多重シンボルが、ＬＴＥシステムユーザー及びＬＴＥ−Ａシステムユーザーの前記物理ダウンリンク制御チャネルを送信することに用いられ、且つ、公共参照信号が前記物理ダウンリンク制御チャネルのみで送信され、前記公共参照信号のアンテナポート数が基地局の最大アンテナポート数以下であってもよい。
【００２３】
従来の技術と比べ、本発明は、マルチキャスト放送単一周波数ネットワーク（ＭＢＳＦＮ：Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームタイプのＬＴＥ-Ａ物理リソースにおいて、物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）以外のＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボルにサブフレーム０と同じサイクリックプレフィックスを採用し、ローカルセルに統一されたサイクリックプレフィックスを採用させ、これにより、カバレッジの一致性を維持する。物理層パラメーターが選択されるとき、統一されたサイクリックプレフィックスが採用されているので、システムパラメーター設定の一致性が保証される。本発明の技術案は、特にＣＯＭＰ応用技術に適している。
【図面の簡単な説明】
【００２４】
【図１】本発明によるマルチポイント協調送受信方法の実施例のフローチャートである。
【図２】本発明によるＬＴＥ-Ａシステムにおけるユーザー物理リソース特定装置の実施例の構成図である。
【発明を実施するための形態】
【００２５】
以下、添付された図面及び実施例を参照して、本発明の実施形態を詳細に説明する。これにより、本発明の実現方法が十分に理解される。
【００２６】
ＬＴＥ-Ａ物理リソースがＬＴＥユーザーに過大な影響を与えないように、マルチキャスト放送単一周波数ネットワーク（ＭＢＳＦＮ）サブフレームをＬＴＥ-Ａユーザー物理リソースとして採用してもよい。ＬＴＥユーザー装置（ＵＥ：ｕｓｅｒ  Ｅｑｕｉｐｍｅｎｔ）は、このＭＢＳＦＮサブフレームが自身で受信すべきではない物理リソースであると判断したときに、このサブフレームの情報を受信しなくてもよい。ＬＴＥ-Ａユーザー装置は、ＬＴＥ-Ａのシグナルにより当該ＭＢＳＦＮサブフレームがＬＴＥ-Ａユーザーの物理リソースであると識別し、さらにリソース分配指示を読み込んで、自身の物理リソースにおける信号を受信する。
【００２７】
ＬＴＥ-Ａシステムは、マルチキャスト放送単一周波数ネットワーク（ＭＢＳＦＮ）サブフレーム形式を採用して、ＬＴＥ-Ａユーザーの物理ダウンリンク共有チャネル（ＰＤＳＣＨ）を送信してもよい。このときに、ＭＢＳＦＮの最大で最初の二つのシンボルが公共参照信号（ＣＲＳ）に挿入されて、物理ダウンリンク制御チャネル（ＰＤＣＣＨ）が送信される。
【００２８】
ＬＴＥ標準３ＧＰＰ ＴＳ３６.２１１  ６.５において、すでにＭＢＳＦＮサブフレームの最初の二つのシンボルがサブフレーム０と同じサイクリックプレフィックスタイプを採用することが規定されている。しかも、ＬＴＥ標準において、ＰＤＣＣＨ以外の直交周波数分割多重（ＯＦＤＭ）シンボルは、すべてロングサイクリックプレフィックスを採用している。ＬＴＥ-Ａユーザーは、ＭＢＳＦＮサブフレームタイプのＬＴＥ-Ａ物理リソースにおいてユニキャストサービスを送信するので、ロングサイクリックフレーム構造を採用すると、すべての応用環境に適応できない。
【００２９】
本発明の着想は、ＭＢＳＦＮサブフレームをＬＴＥ-Ａシステムにおけるユーザーの物理リソースとして用いるときに、このＭＢＳＦＮサブフレームにおいて、ＰＤＣＣＨのシンボル以外のほかのシンボルは、ローカルセルのサブフレーム０と同じサイクリックプレフィックス（ＣＰ）を採用する、というものである。当該ＣＰは通常ＣＰまたはロングＣＰを含む。
【００３０】
複数のセルが協調する場合に、協調に関与するセルの各サブフレーム構造のサイクリックプレフィックスが同じであるとき、ＭＢＳＦＮタイプのＬＴＥ-Ａ物理リソースに対し、協調集合におけるセルが当該サイクリックプレフィックスのフレーム構造のＭＢＳＦＮサブフレームを採用する。当該ＣＰは通常ＣＰまたはロングＣＰを含む。
【００３１】
複数のセルが協調する場合に、協調に関与するセルの各サブフレーム構造のサイクリックプレフィックスが異なるとき、ＭＢＳＦＮタイプのＬＴＥ-Ａ物理リソースに対し、協調集合におけるセルがロングサイクリックプレフィックスのフレーム構造のＭＢＳＦＮサブフレームを採用する。
【００３２】
これにより、ＭＢＳＦＮサブフレームタイプのＬＴＥ-Ａ物理リソースにおいて、ＰＤＣＣＨ以外のＯＦＤＭシンボルに、サブフレーム０と同じサイクリックプレフィックスが採用され、ローカルセルに統一されたサイクリックプレフィックスが採用される。これにより、カバレッジの一致性（ロングサイクリックプレフィックスは広範囲カバリッジ環境に適している）を維持することに有利となる。マルチポイント協調（ＣＯＭＰ）送受信は、主に、セル端のユーザーに用いられるため、この送信時間遅延が相対的に長くなる可能性がある。協調に関与するセルの各サブフレーム構造のサイクリックプレフィックスが異なる場合、ロングサイクリックプレフィックスの採用により協調セルのカバレッジを保証することができる。
【００３３】
物理層パラメーターの選択を行うとき、ロングサイクリックプレフィックスと通常サイクリックプレフィックスはパラメーター集合が異なる。たとえば、ＬＴＥ標準３ＧＰＰ  ＴＳ３６.２１１の表６.９.３-１では、ロングサイクリックプレフィックスフレーム構造のＰＨＩＣＨ（Ｐｈｙｓｉｃａｌ  ＨＡＲＱ  Ｉｎｄｉｃａｔｏｒ  Ｃｈａｎｎｅｌ）の送信周期は、一つのサブフレームごとに一回であり、一方、通常サイクリックプレフィックスフレーム構造のＰＨＩＣＨの送信周期は、一つのサブフレームごとに二回である。従って、統一されたサイクリックプレフィックスの採用によりシステムパラメーター設定の一致性を保証することができる    。
【００３４】
図１は本発明におけるマルチポイント協調送受信の方法実施例のフローチャートである。図１に示すように、この方法の実施例は、主に以下のステップを含む。
【００３５】
ステップＳ１１０では、ＦＤＤの場合に、サブフレーム番号が０、４、５及び９以外のほかのいずれかのＭＢＳＦＮサブフレームをＬＴＥ-Ａシステムにおけるユーザーの物理リソースとして用い、ＴＤＤの場合に、サブフレーム番号が０、１、５及び６以外のほかのいずれかのＭＢＳＦＮサブフレームをＬＴＥ-Ａシステムにおけるユーザーの物理リソースとして用いる。
【００３６】
ステップＳ１２０では、当該物理リソースにおいて最大で最初の二つのシンボルを採用して、ＬＴＥユーザー及びＬＴＥ-ＡユーザーのＰＤＣＣＨを送信し、且つ、ＰＤＣＣＨのみでＣＲＳを送信する。このＣＲＳのアンテナポート数は、基地局の最大アンテナポート数より少ない。本実施例では、ＣＲＳの数は２とされている（その他の実施例において、ＣＲＳの数は１つであってもよい）。具体的には、表１に従ってＣＲＳが設定される。表１はＣＲＳ送信ポート数と実際のアンテナ数のマッピング関係表である。
【００３７】
【表１】
0005655066.tif 000002
【００３８】
表１において、ＮRel-8 CRSはＬＴＥにより送信されるＣＲＳの数を示す。
【００３９】
ステップＳ１３０では、ＬＴＥ-ＡユーザーのＰＤＳＣＨがＰＤＣＣＨ以外のその他のＯＦＤＭシンボルで送信され、且つ、これらのシンボルは、ローカルセルのサブフレーム０と同じＣＰ長を有している。
【００４０】
複数のセルが協調する場合に、協調に関与するセルの各サブフレーム構造のサイクリックプレフィックスが同じであるとき、ＭＢＳＦＮタイプのＬＴＥ-Ａ物理リソースに対し、協調集合におけるセルがこのサイクリックプレフィックスのフレーム構造のＭＢＳＦＮサブフレームを採用する。
【００４１】
複数のセルが協調する場合に、協調に関与するセルの各サブフレーム構造のサイクリックプレフィックスが異なるとき、ＭＢＳＦＮタイプのＬＴＥ-Ａ物理リソースに対し、協調集合におけるセルがロングサイクリックプレフィックスのフレーム構造のＭＢＳＦＮサブフレームを採用する。
【００４２】
図２は本発明によるＬＴＥ-Ａシステムにおけるユーザー物理リソース特定装置の実施例の構成図である。図２に示すように、この装置は、主に第一特定モジュール２１０と第二特定モジュール２２０を含む。
第一特定モジュール２１０は、ＭＢＳＦＮサブフレームをＬＴＥ-Ａシステムにおけるユーザー送信データチャネルの物理リソースとして特定する。
第二特定モジュール２２０は、ローカルセルのサブフレーム０のＣＰを、当該物理リソースのＭＢＳＦＮサブフレームにおけるＰＤＣＣＨのシンボル以外のその他のシンボルのＣＰとして用いる。
【００４３】
第二特定モジュール２２０は、複数のセルが協調するときに、協調に関与するセルの各サブフレーム構造のＣＰが同じであるかどうかを判断する。第一特定モジュール２１０は、第二特定モジュール２２０が協調に関与するセルの各サブフレーム構造のＣＰが同じであると判断した場合に、ＭＢＳＦＮタイプの物理リソースに対し、当該ＣＰフレーム構造のＭＢＳＦＮサブフレームを協調集合における各セルに適用し、この第二特定モジュール２２０が協調に関与するセルの各サブフレーム構造のＣＰが異なると判断した場合に、ＭＢＳＦＮタイプの物理リソースに対し、ロングＣＰフレーム構造のＭＢＳＦＮサブフレームを協調集合における各セルに適用する。
【００４４】
第一特定モジュール２１０は、ＦＤＤの場合に、サブフレーム番号が０、４、５及び９以外のいずれかのＭＢＳＦＮサブフレームをユーザー送信データチャネル物理リソースとして用い、ＴＤＤの場合に、サブフレーム番号が０、１、５及び６以外のいずれかのＭＢＳＦＮサブフレームをユーザー送信データチャネルの物理リソースとして用いる。この物理リソースの最大で最初の二つのシンボルが、ＬＴＥシステムのユーザー及びＬＴＥ-ＡシステムのユーザーのＰＤＣＣＨの送信に用いられ、且つ、公共参照信号は、このＰＤＣＣＨのみにマッピングされ、前記公共参照信号のアンテナポート数は基地局の最大アンテナポート数より少ない。
【００４５】
上記のものは、本発明の好適な実施形態に過ぎず、本発明の請求範囲を限定するために用いられるものではない。本発明により開示された技術範囲内で、当業者が容易に思いつく変形または置換は、すべて本発明の請求範囲内に含まれる。このため、本発明の請求範囲は特許請求の範囲に従う。
【図１】
0005655066.tif 000003
【図２】
0005655066.tif 000004